(57)【要約】      （修正有）【課題】構成が簡単で、携帯しやすいマスク一時保管用ケースを提供する。【解決手段】マスク一時保管用ケースは、第１挟持片１と、第１挟持片に接続される第２挟持片２とを含み、第１挟持片と第２挟持片を一体に折り畳むと、第１挟持片と第２挟持片との間にマスクを収納する収容空間が形成される。更に、第１挟持片は、第１左半分１１と、第１左半分に接続されるとともに第１左半分に向けて折り畳み可能な第１右半分１２とを含んでもよく、第２挟持片は、第１左半分に接続されるとともに第１左半分に向けて折り畳み可能な第２左半分２１と、第１右半分に接続されるとともに第１右半分に向けて折り畳み可能な第２右半分２２とを含んでもよい。【選択図】図２
0003228679.tif 000002
【実用新案登録請求の範囲】
【請求項１】
マスク一時保管用ケースであって、第１挟持片と、前記第１挟持片に接続される第２挟持片とを含み、前記第１挟持片と前記第２挟持片を一体に折り畳むと、前記第１挟持片と前記第２挟持片との間にマスクを収納する収容空間が形成されることを特徴とするマスク一時保管用ケース。
【請求項２】
前記第１挟持片は、第１左半分と、前記第１左半分に接続されるとともに前記第１左半分に向けて折り畳み可能な第１右半分とを含み、前記第２挟持片は、前記第１左半分に接続されるとともに前記第１左半分に向けて折り畳み可能な前記第２左半分と、前記第１右半分に接続されるとともに前記第１右半分に向けて折り畳み可能な前記第２右半分とを含むことを特徴とする請求項１に記載のマスク一時保管用ケース。
【請求項３】
前記第１左半分と前記第１右半分は第１接続片を介して接続され、前記第１左半分と前記第１接続片の接続位置に第１折り畳みラインが形成され、前記第１右半分と前記第１接続片の接続位置に第２折り畳みラインが形成されることを特徴とする請求項２に記載のマスク一時保管用ケース。
【請求項４】
前記第１左半分と前記第２左半分は第２接続片を介して接続され、前記第１左半分と前記第２接続片の接続位置に第３折り畳みラインが形成され、前記第２左半分と前記第２接続片の接続位置に第４折り畳みラインが形成されることを特徴とする請求項２に記載のマスク一時保管用ケース。
【請求項５】
前記第１右半分と前記第２右半分は第３接続片を介して接続され、前記第１右半分と前記第３接続片の接続位置に第５折り畳みラインが形成され、前記第２右半分と前記第３接続片の接続位置に第６折り畳みラインが形成されることを特徴とする請求項２に記載のマスク一時保管用ケース。
【請求項６】
前記第１左半分及び前記第２左半分の側辺にはそれぞれ前記マスク耳ひもを収納する第１切欠き及び第２切欠きが設置され、前記第１左半分と前記第２左半分を一体に折り畳むと、前記第１切欠きと前記第２切欠きが重なることを特徴とする請求項２に記載のマスク一時保管用ケース。
【請求項７】
前記第１右半分及び前記第２右半分の側辺にはそれぞれ前記マスク耳ひもを収納する第３切欠き及び第４切欠きが設置され、前記第１右半分と前記第２右半分を一体に折り畳むと、前記第３切欠きと前記第４切欠きが重なることを特徴とする請求項１に記載のマスク一時保管用ケース。
【請求項８】
前記第１左半分、前記第１右半分、前記第２左半分、及び前記第２右半分は一体射出成形されることを特徴とする請求項２に記載のマスク一時保管用ケース。
【請求項９】
前記第１挟持片及び前記第２挟持片は一体射出成形されることを特徴とする請求項１に記載のマスク一時保管用ケース。
【請求項１０】
マスク一時保管用ケースであって、第１挟持片と、前記第１挟持片に接続される第２挟持片とを含み、前記第１挟持片と前記第２挟持片を一体に折り畳むと、前記第１挟持片と前記第２挟持片との間にマスクを収納する収容空間が形成され、
前記第１挟持片は、第１左半分と、前記第１左半分に接続されるとともに前記第１左半分に向けて折り畳み可能な第１右半分とを含み、前記第２挟持片は、前記第１左半分に接続されるとともに前記第１左半分に向けて折り畳み可能な前記第２左半分と、前記第１右半分に接続されるとともに前記第１右半分に向けて折り畳み可能な前記第２右半分とを含み、
前記第１左半分と前記第１右半分は第１接続片を介して接続され、前記第１左半分と前記第１接続片の接続位置に第１折り畳みラインが形成され、前記第１右半分と前記第１接続片の接続位置に第２折り畳みラインが形成され、
前記第１左半分と前記第２左半分は第２接続片を介して接続され、前記第１左半分と前記第２接続片の接続位置に第３折り畳みラインが形成され、前記第２左半分と前記第２接続片の接続位置に第４折り畳みラインが形成され、
前記第１右半分と前記第２右半分は第３接続片を介して接続され、前記第１右半分と前記第３接続片の接続位置に第５折り畳みラインが形成され、前記第２右半分と前記第３接続片の接続位置に第６折り畳みラインが形成されることを特徴とするマスク一時保管用ケース。
【考案の詳細な説明】
【技術分野】
【０００１】
本考案は、マスクの収納や一時保管のための装置に関し、具体的にはマスク一時保管用ケースに関する。
【背景技術】
【０００２】
大気汚染及び流行性呼吸器疾患は空気感染で広がりやすいため、マスクを着用して出かける人が増えている。マスクは使い捨てであり、使用後に廃棄されるが、マスクを着用している間、マスクを一時的に外す場合もある。例えば、食事のとき、如何にマスクを一時的に保管するかという問題があり、マスクをポケットやバッグに直接入れると、マスクの表側に付着している汚染物質やウィルスがポケットやバッグに広がり、マスクの裏側も有害物質やウィルスが付着しやすいため、直接捨てて新しいマスクを交換すると、無駄及び環境保全の問題をもたらす。
【考案の概要】
【考案が解決しようとする課題】
【０００３】
本考案は、マスクを一時保管するマスク一時保管用ケースを提供することを目的とする。
本考案のマスク一時保管用ケースの一実施例によれば、前記マスク一時保管用ケースは、第１挟持片と、前記第１挟持片に接続される第２挟持片とを含み、前記第１挟持片と前記第２挟持片を一体に折り畳むと、前記第１挟持片と前記第２挟持片との間にマスクを収納する収容空間が形成される。
【０００４】
本考案のマスク一時保管用ケースの一実施例によれば、前記第１挟持片は、第１左半分と、前記第１左半分に接続されるとともに前記第１左半分に向けて折り畳み可能な第１右半分とを含み、前記第２挟持片は、前記第１左半分に接続されるとともに前記第１左半分に向けて折り畳み可能な前記第２左半分と、前記第１右半分に接続されるとともに前記第１右半分に向けて折り畳み可能な前記第２右半分とを含む。
【０００５】
本考案のマスク一時保管用ケースの一実施例によれば、前記第１左半分と前記第１右半分は第１接続片を介して接続され、前記第１左半分と前記第１接続片の接続位置に第１折り畳みラインが形成され、前記第１右半分と前記第１接続片の接続位置に第２折り畳みラインが形成される。
【０００６】
本考案のマスク一時保管用ケースの一実施例によれば、前記第１左半分と前記第２左半分は第２接続片を介して接続され、前記第１左半分と前記第２接続片の接続位置に第３折り畳みラインが形成され、前記第２左半分と前記第２接続片の接続位置に第４折り畳みラインが形成される。
【０００７】
本考案のマスク一時保管用ケースの一実施例によれば、前記第１右半分と前記第２右半分は第３接続片を介して接続され、前記第１右半分と前記第３接続片の接続位置に第５折り畳みラインが形成され、前記第２右半分と前記第３接続片の接続位置に第６折り畳みラインが形成される。
【０００８】
本考案のマスク一時保管用ケースの一実施例によれば、前記第１左半分及び前記第２左半分の側辺にはそれぞれ前記マスク耳ひもを収納する第１切欠き及び第２切欠きが設置され、前記第１左半分と前記第２左半分を一体に折り畳むと、前記第１切欠きと前記第２切欠きが重なる。
【０００９】
本考案のマスク一時保管用ケースの一実施例によれば、前記第１右半分及び前記第２右半分の側辺にはそれぞれ前記マスク耳ひもを収納する第３切欠き及び第４切欠きが設置され、前記第１右半分と前記第２右半分を一体に折り畳むと、前記第３切欠きと前記第４切欠きが重なる。
【００１０】
本考案のマスク一時保管用ケースの一実施例によれば、前記第１左半分、前記第１右半分、前記第２左半分、及び前記第２右半分は一体射出成形される。
本考案のマスク一時保管用ケースの一実施例によれば、前記第１挟持片及び前記第２挟持片は一体射出成形される。
【００１１】
本考案のマスク一時保管用ケースを実施すると、本考案のマスク一時保管用ケースは構成が簡単で、携帯やすく、マスクの一時保管問題を効果的に解決できるという有益な効果を有する。
【図面の簡単な説明】
【００１２】
以下、図面及び実施例を参照して本考案を更に説明する。
【図１】図１は本考案のマスク一時保管用ケースの一実施例の展開状態の正面概略図である。
【図２】図２は本考案のマスク一時保管用ケースの一実施例の展開状態の立体概略図である。
【図３】図３は図２のＡ部分の局所拡大図である。
【図４】図４は本考案のマスク一時保管用ケースの一実施例の折り畳み状態の概略図である。
【図５】図５は本考案のマスク一時保管用ケースの一実施例の折り畳み過程の概略図である。
【図６ａ−６ｅ】図６ａ−６ｅは本考案のマスク一時保管用ケースにマスクを入れて折り畳む過程の概略図である。
【考案を実施するための形態】
【００１３】
本考案の技術的特徴、目的、及び効果をより明確に理解するために、図面を参照して本考案の具体的な実施形態について詳細に説明する。
【００１４】
以下、本考案のマスク一時保管用ケースの実施例を詳細に説明し、これらの実施例の例示を図面に示す。なお、最初から最後まで同一又は類似の符号は、同一又は類似の要素あるいは同一又は類似の機能を有する要素を示す。
【００１５】
なお、本考案のマスク一時保管用ケースについての説明において、用語「前」、「後」、「上」、「下」、「上端」、「下端」、「上端」、「下部」などに示された方位又は位置関係は、図面に示された方位又は位置関係であり、本考案を容易に説明し又は説明を簡略化させるために使用され、言及された装置又は要素が必ずしも特定の方位を有し、特定の方位で構成し及び操作することを指示又は示唆するものではないため、本考案を限定するものであると理解することはできない。また、用語「第１」、「第２」などは単に説明の目的でのみ使用しており、相対的な重要性を指示又は示唆するものとして理解することはできない。
【００１６】
図１〜図５は、本考案のマスク一時保管用ケースの一実施例を示す概略図である。本実施例では、該マスク一時保管用ケースは、第１挟持片１と、第１挟持片１に接続される第２挟持片２とを含み、第１挟持片１と第２挟持片２は第１挟持片１と第２挟持片２との間の接続位置で一体に折り畳まれ、第１挟持片１と第２挟持片２を一体に折り畳むと、第１挟持片１と第２挟持片２との間にマスク（図示せず）を収納する収容空間が形成され、マスクは該収容空間内に一時保管できる。
【００１７】
該実施例では、マスク一時保管用ケースの第１挟持片１は、第１左半分１１と、第１左半分１１に接続されるとともに第１左半分１１に向けて折り畳まれる第１右半分１２とを含んでもよく、第２挟持片２は、分離しており、直接接続されていない第２左半分２１と、第２右半分２２とを含んでもよい。第２左半分２１は第１左半分１１に接続されるとともに第１左半分１１に向けて折り畳み可能であり、第２右半分２２は第１右半分１２に接続されるとともに第１右半分１２に向けて折り畳み可能である。
【００１８】
該実施例では、マスク一時保管用ケースの第１左半分１１と第１右半分１２は第１接続片３１を介して接続され、第１左半分１１と第１接続片３１の接続位置に第１折り畳みライン４１が形成され、第１右半分１２と第１接続片３１の接続位置に第２折り畳みライン４２が形成される。なお、第１左半分１１と第１右半分１２は一体に直接接続されてもよく、第１左半分１１と第１右半分１２の接続位置に折り畳みラインが形成される。
【００１９】
該実施例では、マスク一時保管用ケースの第１左半分１１と第２左半分２１は第２接続片３２を介して接続され、第１左半分１１と第２接続片３２の接続位置に第３折り畳みライン４３が形成され、第２左半分２１と第２接続片３２の接続位置に第４折り畳みライン４４が形成される。なお、第１左半分１１及び第２左半分２１は一体に直接接続されてもよく、第１左半分１１と第２左半分２１の接続位置に折り畳みラインが形成される。
【００２０】
該実施例では、マスク一時保管用ケースの第１右半分１２と第２右半分２２は第３接続片３３を介して接続され、第１右半分１２と第３接続片３３の接続位置に第５折り畳みライン４５が形成され、第２右半分２２と第３接続片３３の接続位置に第６折り畳みライン４６が形成される。なお、第１右半分１２及び第２右半分２２は一体に直接接続されてもよく、第１右半分１２と第２右半分２２の接続位置に折り畳みラインが形成される。
【００２１】
該実施例では、マスク耳ひもを収納しやすくするために、マスク一時保管用ケースの第１左半分１１及び第２左半分２１の側辺にはそれぞれマスク耳ひもを収納する第１切欠き５１及び第２切欠き５２が設置され、第１左半分１１及び第２左半分２１を一体に折り畳むと、第１切欠き５１及び第２切欠き５２が重なる。マスク一時保管用ケースの第１右半分１２及び第２右半分２２の側辺には同様にそれぞれマスク耳ひもを収納する第３切欠き５３及び第４切欠き５４が設置され、第１右半分１２及び第２右半分２２を一体に折り畳むと、第３切欠き５３及び第４切欠き５４が重なる。
【００２２】
本考案のマスク一時保管用ケースは、射出成形プロセスにより透明、半透明又は原色プラスチックで一体成型して形成される。すなわち、第１挟持片１及び第２挟持片２が一体射出成形により形成される。具体的には、第１左半分１１、第１右半分１２、第２左半分２１、及び第２右半分２２は一体射出成形により形成される。
【００２３】
図５は、本考案のマスク一時保管用ケースの折り畳み過程を示す概略図である。マスク一時保管用ケースを使用する場合、マスクの表面、すなわち、外部に向けて空気と接触するマスクの面を第１挟持片１に貼り付け、次に第２挟持片２の第２左半分２１及び第２右半分２２をそれぞれ第１挟持片１の第１左半分１１及び第１右半分１２へ折り畳み、マスクを第１左半分１１と第２左半分２１との間及び第１右半分１２と第２右半分２２との間に挟み、そして、第１右半分１２を第１左半分１１に向けて折り畳み、折り畳みが完了した後、マスクの耳ひもを、重なり合った第１切欠き５１、第２切欠き５２、第３切欠き５３、及び第４切欠き５４に巻き付け、それから、マスクをポケットやバッグ内に一時保管して挟み、次に使用するときは、逆の順次でマスク一時保管用ケースを開ければよい。マスク一時保管用ケースは使用後に洗浄し消毒してもよく、次の使用を容易にする。
【００２４】
図６ａ−図６ｅは更に本考案のマスク一時保管用ケースにマスク６を入れて折り畳む過程を示す概略図である。図６ａに示すとおり、マスク一時保管用ケースを使用する前に、水又は消毒液で洗浄し、マスク一時保管用ケースを開くと、第１左半分１１及び第１右半分１２は上方に位置し、第２左半分２１及び第２右半分２２は下方に位置する。マスク一時保管用ケースのＬＯＧＯ／製品ロゴの位置は右方、すなわち、第１右半分１２に位置する。図６ｂに示すとおり、外したマスク６の外面（外界と接触する部分）はマスク一時保管用ケースに置かれ、裏層は自身に向いている。マスクはマスク一時保管用ケースに置かれる。さらに、マスクのノーズワイヤ／鼻金の部分をマスク一時保管用ケースの第１左半分１１及び第１右半分１２に置く必要があり、操作を容易にするため、鼻金をできるだけ平坦にする必要がある。図６ｃに示すとおり、使用するとき、マスク一時保管用ケースの第２左半分２１及び第２右半分２２は上方に折り畳まれて、マスクは細長い形状に保持される。この過程でマスクの耳ひも６１はマスク一時保管用ケースの裏側に埋め込まれるのではなく、マスク一時保管用ケースの外側に配置される必要がある。折り畳み過程で、衛生及び清潔さを保つために、一時保管ケースの外側に露出しないようにマスクを維持する必要がある。図６ｄに示すとおり、細長い形状に折り畳まれたマスク一時保管用ケースを左右に折り畳まれる。すなわち、図面に示された第１左半分１１及び第２左半分２１が閉まるまで第１右半分１２及び第２右半分２２に折り畳まれる。図６ｅに示すとおり、マスク一時保管用ケースを閉じた後、マスクの耳ひも６１を滑らかにして、軽く引っ張ってマスク一時保管用ケースを包み込んで締める。
【００２５】
以上、添付図面を参照しながら本考案の実施例について説明したが、本考案は具体的な実施形態に限定されず、上記具体的な実施形態は単なる例示であり、限定するものではない。当業者であれば、本考案の示唆の下で、本考案の趣旨及び実用新案登録請求の範囲から逸脱しない範囲で、多くの形態を行うことができ、これらはいずれも本考案の保護に該当する。
【図１】
0003228679.tif 000003
【図２】
0003228679.tif 000004
【図３】
0003228679.tif 000005
【図４】
0003228679.tif 000006
【図５】
0003228679.tif 000007
【図６ａ】
0003228679.tif 000008
【図６ｂ】
0003228679.tif 000009
【図６ｃ】
0003228679.tif 000010
【図６ｄ】
0003228679.tif 000011
【図６ｅ】
0003228679.tif 000012
【手続補正書】
【提出日】令和2年7月30日(2020.7.30)
【手続補正１】
【補正対象書類名】実用新案登録請求の範囲
【補正対象項目名】全文
【補正方法】変更
【補正の内容】
【実用新案登録請求の範囲】
【請求項１】
マスク一時保管用ケースであって、第１挟持片と、前記第１挟持片に接続される第２挟持片と、を含み、前記第１挟持片は、第１左半分と、前記第１左半分に接続されるとともに前記第１左半分に向けて折り畳み可能な第１右半分とを含み、前記第２挟持片は、前記第１左半分に接続されるとともに前記第１左半分に向けて折り畳み可能な第２左半分と、前記第１右半分に接続されるとともに前記第１右半分に向けて折り畳み可能な第２右半分とを含み、前記第１挟持片と前記第２挟持片を一体に折り畳むと、前記第１挟持片と前記第２挟持片との間にマスクを収納する収容空間が形成されることを特徴とするマスク一時保管用ケース。
【請求項２】
前記第１左半分と前記第１右半分は第１接続片を介して接続され、前記第１左半分と前記第１接続片の接続位置に第１折り畳みラインが形成され、前記第１右半分と前記第１接続片の接続位置に第２折り畳みラインが形成されることを特徴とする請求項１に記載のマスク一時保管用ケース。
【請求項３】
前記第１左半分と前記第２左半分は第２接続片を介して接続され、前記第１左半分と前記第２接続片の接続位置に第３折り畳みラインが形成され、前記第２左半分と前記第２接続片の接続位置に第４折り畳みラインが形成されることを特徴とする請求項１に記載のマスク一時保管用ケース。
【請求項４】
前記第１右半分と前記第２右半分は第３接続片を介して接続され、前記第１右半分と前記第３接続片の接続位置に第５折り畳みラインが形成され、前記第２右半分と前記第３接続片の接続位置に第６折り畳みラインが形成されることを特徴とする請求項１に記載のマスク一時保管用ケース。
【請求項５】
前記第１左半分及び前記第２左半分の側辺にはそれぞれ前記マスクの耳ひもを収納する第１切欠き及び第２切欠きが設置され、前記第１左半分と前記第２左半分を一体に折り畳むと、前記第１切欠きと前記第２切欠きが重なることを特徴とする請求項１に記載のマスク一時保管用ケース。
【請求項６】
前記第１右半分及び前記第２右半分の側辺にはそれぞれ前記マスクの耳ひもを収納する第３切欠き及び第４切欠きが設置され、前記第１右半分と前記第２右半分を一体に折り畳むと、前記第３切欠きと前記第４切欠きが重なることを特徴とする請求項１に記載のマスク一時保管用ケース。
【請求項７】
前記第１左半分、前記第１右半分、前記第２左半分、及び前記第２右半分は一体射出成形されることを特徴とする請求項１に記載のマスク一時保管用ケース。
【請求項８】
前記第１挟持片及び前記第２挟持片は一体射出成形されることを特徴とする請求項１に記載のマスク一時保管用ケース。
【請求項９】
マスク一時保管用ケースであって、第１挟持片と、前記第１挟持片に接続される第２挟持片とを含み、前記第１挟持片と前記第２挟持片を一体に折り畳むと、前記第１挟持片と前記第２挟持片との間にマスクを収納する収容空間が形成され、
前記第１挟持片は、第１左半分と、前記第１左半分に接続されるとともに前記第１左半分に向けて折り畳み可能な第１右半分とを含み、前記第２挟持片は、前記第１左半分に接続されるとともに前記第１左半分に向けて折り畳み可能な第２左半分と、前記第１右半分に接続されるとともに前記第１右半分に向けて折り畳み可能な第２右半分とを含み、
前記第１左半分と前記第１右半分は第１接続片を介して接続され、前記第１左半分と前記第１接続片の接続位置に第１折り畳みラインが形成され、前記第１右半分と前記第１接続片の接続位置に第２折り畳みラインが形成され、
前記第１左半分と前記第２左半分は第２接続片を介して接続され、前記第１左半分と前記第２接続片の接続位置に第３折り畳みラインが形成され、前記第２左半分と前記第２接続片の接続位置に第４折り畳みラインが形成され、
前記第１右半分と前記第２右半分は第３接続片を介して接続され、前記第１右半分と前記第３接続片の接続位置に第５折り畳みラインが形成され、前記第２右半分と前記第３接続片の接続位置に第６折り畳みラインが形成されることを特徴とするマスク一時保管用ケース。